(57)【要約】【課題】開発中の移動広帯域無線セルラーシステムでのＢＣＭＣＳを伝送する方法を提供する。【解決手段】無線通信システムで一つ以上のＢＣＭＣＳと一つ以上のユニキャストサービスを提供する方法において、各々第１の所定長さを有するＣＰが先行するユニキャストデータチップを含む所定個数のユニキャストシンボルを所定のクロック速度でフレーム別に提供する段階；及び各々予想多重経路遅延拡散以上の第２の所定長さを有するＣＰが先行する所定個数のＢＣＭＣＳデータチップを含む所定個数のＢＣＭＣＳシンボルを所定のクロック速度でフレーム別に提供する段階を含み、フレーム別に提供されたユニキャストチップ個数はフレーム別に提供されたＢＣＭＣＳチップの個数の同一であり、フレーム別のＢＣＭＣＳシンボルの個数は偶数であり、ＢＣＭＣＳシンボル当たりのデータチップの所定個数は２、３、５または７の因数である、方法。【選択図】図３ｃ
2010504657.tif 000002
【特許請求の範囲】
【請求項１】
無線通信システムで一つ以上のブロードキャスト及びマルチキャストサービス（ＢＣＭＣＳ）と一つ以上のユニキャストサービスを提供する方法において、
それぞれ第１の所定長さを有する循環前置（Ｃｙｃｌｉｃ  Ｐｒｅｆｉｘ：ＣＰ）が先行するユニキャストデータチップを含む所定個数のユニキャストシンボルを所定のクロック速度でフレーム別に提供する段階；及び
それぞれ予想多重経路遅延拡散以上の第２の所定長さを有する循環前置が先行する所定個数のＢＣＭＣＳデータチップを含む所定個数のＢＣＭＣＳシンボルを所定のクロック速度でフレーム別に提供する段階を含み、
フレーム別に提供されたユニキャストチップ個数は、フレーム別に提供されたＢＣＭＣＳチップの個数の同一であり、フレーム別のＢＣＭＣＳシンボルの個数は偶数であり、前記ＢＣＭＣＳシンボル当たりのデータチップの所定個数は、２、３、５または７の因数である、一つ以上のブロードキャスト及びマルチキャストサービス（ＢＣＭＣＳ）と一つ以上のユニキャストサービスを提供する方法。
【請求項２】
フレーム別のユニキャストシンボルの所定個数は８であり、前記所定のクロック速度は４．９１５２ＭＨｚであり、フレーム別に提供されたユニキャストチップの個数は４４８０である、請求項１に記載の一つ以上のブロードキャスト及びマルチキャストサービス（ＢＣＭＣＳ）と一つ以上のユニキャストサービスを提供する方法。
【請求項３】
フレーム別のＢＣＭＣＳシンボルの所定個数は２、４、６または８である、請求項２に記載の一つ以上のブロードキャスト及びマルチキャストサービス（ＢＣＭＣＳ）と一つ以上のユニキャストサービスを提供する方法。
【請求項４】
前記フレーム別のＢＣＭＣＳシンボルの個数及びシンボル当たりのＢＣＭＣＳチップの所定個数は次の表による、請求項３に記載の一つ以上のブロードキャスト及びマルチキャストサービス（ＢＣＭＣＳ）と一つ以上のユニキャストサービスを提供する方法：
【数１】
2010504657.tif 000005
【請求項５】
前記システムは、‘ｘ’ＭＨｚのクロック速度とＯＦＤＭシンボル当たりのチップの個数、Ｎ＿ＦＦＴ大きさ、ＣＰとウィンドウを合わせたチップの個数及びｘ／４．９１５２の因数を有するＣＰスケールチップ個数を有する、請求項４に記載の一つ以上のブロードキャスト及びマルチキャストサービス（ＢＣＭＣＳ）と一つ以上のユニキャストサービスを提供する方法。
【請求項６】
無線通信システムで一つ以上のブロードキャスト及びマルチキャストサービス（ＢＣＭＣＳ）と一つ以上のユニキャストサービスを提供する方法において、
それぞれ第１の所定長さを有する循環前置（Ｃｙｃｌｉｃ  Ｐｒｅｆｉｘ：ＣＰ）が先行するユニキャストデータを含む所定個数のユニキャストシンボルを所定のクロック速度でフレーム別に提供する段階；及び
それぞれ第２の所定長さを有する循環前置が先行する所定個数のＢＣＭＣＳデータチップを含む所定個数のＢＣＭＣＳシンボルを所定のクロック速度でフレーム別に提供する段階を含み、
フレーム別に提供されたユニキャストシンボルの所定個数は、フレーム別に提供された所定のＢＣＭＣＳ個数と同一であり、フレーム別に提供されたユニキャストシンボルの所定長さは、フレーム別に提供されたＢＣＭＣＳシンボルの所定長さと同一であり、前記第１の所定長さは、前記第２の所定長さと同一である、一つ以上のブロードキャスト及びマルチキャストサービス（ＢＣＭＣＳ）と一つ以上のユニキャストサービスを提供する方法。
【請求項７】
フレーム別のユニキャストシンボルの所定個数は８であり、前記所定のクロック速度は４．９１５２ＭＨｚである、請求項６に記載の一つ以上のブロードキャスト及びマルチキャストサービス（ＢＣＭＣＳ）と一つ以上のユニキャストサービスを提供する方法。
【請求項８】
ユニキャストトーンとＢＣＭＣＳトーンとの間に如何なる保護トーンも提供しない、請求項６に記載の一つ以上のブロードキャスト及びマルチキャストサービス（ＢＣＭＣＳ）と一つ以上のユニキャストサービスを提供する方法。
【請求項９】
無線通信システムで一つ以上のブロードキャスト及びマルチキャストサービス（ＢＣＭＣＳ）と一つ以上のユニキャストサービスを提供する方法において、
第１のシンボル設計を用いて一つ以上のユニキャストサービスを提供する段階；及び
第２のシンボル設計を用いて第１の電力レベルで伝送された多数のサブパケットの最終パケットを除いた多数のサブパケットと、前記第１のシンボル設計を用いて第２の電力レベルで伝送された多数のサブパケットの最終パケットとして所定のクロック速度で一つ以上のＢＣＭＣＳを提供する段階を含み、
前記第１のシンボル設計は、所定のクロック速度でフレーム別の第１の所定個数のシンボルを含み、前記第１の所定個数のシンボルは、それぞれ第１の所定長さを有する循環前置が先行するユニキャストデータを含み、
前記第２のシンボル設計は、フレーム別の第２の所定個数のＢＣＭＣＳシンボルを含み、前記第２の所定個数のＢＣＭＣＳは、それぞれ第２の所定長さを有する循環前置が先行するＢＣＭＣＳデータを含み、
前記第２の電力レベルは前記第１の電力レベル以上であり、前記フレーム別の第２の所定個数のＢＣＭＣＳシンボルは前記第１の所定個数以下であり、第２の所定長さは第１の所定長さ以上である、一つ以上のブロードキャスト及びマルチキャストサービス（ＢＣＭＣＳ）と一つ以上のユニキャストサービスを提供する方法。
【請求項１０】
フレーム別のユニキャストシンボルの第２の所定個数は８であり、前記所定のクロック速度は４．９１５２ＭＨｚである、請求項９に記載の一つ以上のブロードキャスト及びマルチキャストサービス（ＢＣＭＣＳ）と一つ以上のユニキャストサービスを提供する方法。
【請求項１１】
前記多数のＢＣＭＣＳサブパケットのうち最終サブパケットに対しては、ユニキャストトーンとＢＣＭＣＳトーンとの間に如何なる保護トーンも提供しない、請求項９に記載の一つ以上のブロードキャスト及びマルチキャストサービス（ＢＣＭＣＳ）と一つ以上のユニキャストサービスを提供する方法。
【請求項１２】
無線通信システムで多数のブロードキャスト及びマルチキャストサービス（ＢＣＭＣＳ）を提供する方法において、
第１の多数のサブパケットを含む第１の多数のＢＣＭＣＳを第１の多数の送信機から第１の区域に提供する段階；及び
第２の多数のサブパケットを含む第２の多数のＢＣＭＣＳを第２の多数の送信機から一つ以上の第２の区域に提供する段階を含み、
前記第１の多数の送信機のうち一つ以上の送信機は、接近によって一つ以上の第２の区域に第１の多数のサブパケットを複数回伝送し、前記第２の多数の送信機のうち一つ以上の送信機は、接近度によって第１の区域に第２の多数のサブパケットを複数回伝送する、多数のブロードキャスト及びマルチキャストサービス（ＢＣＭＣＳ）を提供する方法。
【請求項１３】
前記第１の多数の送信機のうち一つ以上の送信機は、第１の多数のサブパケットを各連続伝送の間に遅延を有して複数回伝送し、前記第２の多数の送信機のうち一つ以上の送信機は、第２の多数のサブパケットを各連続伝送の間に遅延を有して複数回伝送する、請求項１２に記載の多数のブロードキャスト及びマルチキャストサービス（ＢＣＭＣＳ）を提供する方法。
【請求項１４】
前記第１の多数の送信機のうち一つ以上の送信機は、第１の多数のサブパケットを現在複数回伝送し、前記第２の多数の送信機のうち一つ以上の送信機は、第２の多数のサブパケットを現在複数回伝送する、請求項１２に記載の多数のブロードキャスト及びマルチキャストサービス（ＢＣＭＣＳ）を提供する方法。
【請求項１５】
前記第１の多数の送信機のうち一つ以上の送信機は、第１の多数のサブパケットを第１の周波数帯域で伝送し、前記第２の多数の送信機のうち一つ以上の送信機は、第２の多数のサブパケットを第２の周波数帯域で伝送し、前記第１の周波数帯域は前記第２の周波数帯域と互いに分離されている、請求項１２に記載の多数のブロードキャスト及びマルチキャストサービス（ＢＣＭＣＳ）を提供する方法。
【請求項１６】
前記第１の多数の送信機は、前記第１の区域のエッジ領域に位置し、前記第２の多数の送信機のうち一つ以上の送信機は、第２の区域のエッジ領域に位置する、請求項１５に記載の多数のブロードキャスト及びマルチキャストサービス（ＢＣＭＣＳ）を提供する方法。
【発明の詳細な説明】
【技術分野】
【０００１】
本発明は、開発中である移動広帯域無線セルラーシステムでのブロードキャスト及びマルチキャストサービス（ＢＣＭＣＳ）の設計に関するものである。
【背景技術】
【０００２】
ブロードキャスト及びマルチキャストサービス（ＢＣＭＣＳ）は、移動局または接続端末（ＡＴ）に対するビデオ及び音声などのコンテンツをブロードキャストまたはマルチキャストで伝送するものである。直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）は、主にＢＣＭＣＳデータを伝送するのに用いられる。ＢＣＭＣＳにおいて、一つ以上の基地局（Ｂａｓｅ  Ｓｔａｔｉｏｎ：ＢＳ）は、同一のコンテンツを伝送することができる。
【０００３】
同一のコンテンツを伝送する総括的な基地局集合をクラスターまたは区域といい、一つの区域は、同一のコンテンツをブロードキャスティングする一つのセル集合を含む。
【０００４】
例えば、二つの隣接地域が時間−周波数資源の重畳された集合を使用する場合、二つの区域の間の境界地域でのＡＴｓは、他のＢＣＭＣＳコンテンツから干渉を受ける。このような干渉を各ＢＣＭＣＳの間の干渉という。
【０００５】
しかしながら、二つの区域がＢＣＭＣＳに対して同期化された時間−周波数資源を使用しない場合、境界地域でのＡＴｓは、ユニキャストトラフィックから干渉を受ける。このような干渉をユニキャストとＢＣＭＣＳとの間の干渉という。
【０００６】
互いに異なるコンテンツを有する区域及び干渉によって劣悪なチャネル品質を経験する境界−区域（ｚｏｎｅ−ｂｏｕｎｄａｒｙ）でのＡＴｓのために劣悪なカバレッジを有する区域に関する区域基盤の実施例では、ＢＣＭＣＳがよく行われるかが重要である。劣悪なチャネル品質の一例は、信号対雑音比（ＳＮＲ）が減少することである。理想的に、カバレッジは、ＡＴが区域またはネットワーク内にあるか否かと関係なしに良好かつ均一であるべきである。また、ＢＣＭＣＳ及びユニキャスト伝送は、効率的に時間−周波数資源を運営・共有すべきである。
【発明の概要】
【発明が解決しようとする課題】
【０００７】
本発明は、開発中である移動広帯域無線セルラーシステムでのＢＣＭＣＳを伝送する方法を提供することを目的とする。
【課題を解決するための手段】
【０００８】
本発明の一様態として、無線通信システムで一つ以上のブロードキャスト及びマルチキャストサービス（ＢＣＭＣＳ）と一つ以上のユニキャストサービスを提供する方法を提示する。前記方法は、それぞれ第１の所定長さを有する循環前置（Ｃｙｃｌｉｃ  Ｐｒｅｆｉｘ：ＣＰ）が先行するユニキャストデータチップを含む所定個数のユニキャストシンボルを所定のクロック速度でフレーム別に提供する段階；及びそれぞれ予想遅延以上の第２の所定長さを有する循環前置が先行する所定個数のＢＣＭＣＳデータチップを含む所定個数のＢＣＭＣＳシンボルを所定のクロック速度でフレーム別に提供する段階を含み、ここで、フレーム別に提供されたユニキャストチップ個数は、フレーム別に提供されたＢＣＭＣＳチップの個数と同一で、フレーム別のＢＣＭＣＳシンボルの個数は偶数で、前記ＢＣＭＣＳシンボル当たりのデータチップの所定個数は２、３、５または７の因数である。
【０００９】
前記フレーム別のユニキャストシンボルの所定個数は８で、前記所定のクロック速度は４．９１５２ＭＨｚで、フレーム別に提供されたユニキャストチップの個数は４４８０であるように意図される。また、前記フレーム別のＢＣＭＣＳシンボルの所定個数は、２、４、６または８であるように意図される。
【００１０】
前記フレーム別のＢＣＭＣＳシンボルの個数及びシンボル当たりのＢＣＭＣＳチップの所定個数は、所定の表に従うように意図される。また、前記システムは、‘ｘ’ＭＨｚのクロック速度とＯＦＤＭシンボル当たりのチップの個数、Ｎ＿ＦＦＴ大きさ、ＣＰとウィンドウを合わせたチップの個数及びｘ／４．９１５２の因数を有するＣＰスケールチップ個数を有するように意図される。
【００１１】
本発明の他の様態として、無線通信システムで一つ以上のブロードキャスト及びマルチキャストサービス（ＢＣＭＣＳ）と一つ以上のユニキャストサービスを提供する方法を提示する。前記方法は、それぞれ第１の所定長さを有する循環前置（Ｃｙｃｌｉｃ  Ｐｒｅｆｉｘ：ＣＰ）が先行するユニキャストデータを含む所定個数のユニキャストシンボルを所定のクロック速度でフレーム別に提供する段階；及びそれぞれ第２の所定長さを有する循環前置が先行する所定個数のＢＣＭＣＳデータチップを含む所定個数のＢＣＭＣＳシンボルを所定のクロック速度でフレーム別に提供する段階を含み、ここで、フレーム別に提供されたユニキャストシンボルの所定個数は、前記フレーム別に提供された所定のＢＣＭＣＳ個数と同一で、フレーム別に提供されたユニキャストシンボルの所定長さは、フレーム別に提供されたＢＣＭＣＳシンボルの所定長さと同一で、前記第１の所定長さは、前記第２の所定長さと同一である。
【００１２】
前記フレーム別のユニキャストシンボルの所定個数は８で、前記所定のクロック速度は４．９１５２ＭＨｚであるように意図される。また、ユニキャストトーンとＢＣＭＣＳトーンとの間に如何なる保護トーンも提供しないように意図される。
【００１３】
本発明の更に他の様態として、無線通信システムで一つ以上のブロードキャスト及びマルチキャストサービス（ＢＣＭＣＳ）と一つ以上のユニキャストサービスを提供する方法を提示する。前記方法は、第１のシンボル設計を用いて一つ以上のユニキャストサービスを提供する段階；及び第２のシンボル設計を用いて第１の電力レベルで伝送された多数のサブパケットの最終パケットを除いた多数のサブパケットと前記第１のシンボル設計を用いて第２の電力レベルで伝送された多数のサブパケットの最終パケットとして所定のクロック速度で一つ以上のＢＣＭＣＳを提供する段階を含み、前記第１のシンボル設計は、所定のクロック速度でフレーム別の第１の所定個数のシンボルを含み、前記第１の所定個数のシンボルは、それぞれ第１の所定長さを有する循環前置が先行するユニキャストデータを含み、前記第２のシンボル設計は、フレーム別の第２の所定個数のＢＣＭＣＳシンボルを含み、前記第２の所定個数のＢＣＭＣＳは、それぞれ第２の所定長さを有する循環前置が先行するＢＣＭＣＳデータを含み、前記第２の電力レベルは前記第１の電力レベル以上で、前記フレーム別の第２の所定個数のＢＣＭＣＳシンボルは前記第１の所定個数以下で、第２の所定長さは第１の所定長さ以上である。
【００１４】
前記フレーム別のユニキャストシンボルの第２の所定個数は８で、前記所定のクロック速度は４．９１５２ＭＨｚであるように意図される。また、前記多数のＢＣＭＣＳサブパケットのうち最終サブパケットに対しては、ユニキャストトーンとＢＣＭＣＳトーンとの間に如何なる保護トーンも提供しないように意図される。
【００１５】
本発明の更に他の様態として、無線通信システムで多数のブロードキャスト及びマルチキャストサービス（ＢＣＭＣＳ）を提供する方法を提示する。前記方法は、第１の多数のサブパケットを含む第１の多数のＢＣＭＣＳを第１の多数の送信機から第１の区域に提供する段階；及び第２の多数のサブパケットを含む第２の多数のＢＣＭＣＳを第２の多数の送信機から一つ以上の第２の区域に提供する段階を含み、ここで、前記第１の多数の送信機のうち一つ以上の送信機は、接近によって一つ以上の第２の区域に第１の多数のサブパケットを複数回伝送し、前記第２の多数の送信機のうち一つ以上の送信機は、接近度によって第１の区域に第２の多数のサブパケットを複数回伝送する。
【００１６】
前記第１の多数の送信機のうち一つ以上の送信機は、第１の多数のサブパケットを各連続伝送の間に遅延を有して複数回伝送し、前記第２の多数の送信機のうち一つ以上の送信機は、第２の多数のサブパケットを各連続伝送の間に遅延を有して複数回伝送するように意図される。また、前記第１の多数の送信機のうち一つ以上の送信機は、第１の多数のサブパケットを現在複数回伝送し、前記第２の多数の送信機のうち一つ以上の送信機は、第２の多数のサブパケットを現在複数回伝送するように意図される。好ましくは、前記第１の多数の送信機のうち一つ以上の送信機は、第１の多数のサブパケットを第１の周波数帯域で伝送し、前記第２の多数の送信機のうち一つ以上の送信機は、第２の多数のサブパケットを第２の周波数帯域で伝送し、前記第１の周波数帯域は、前記第２の周波数帯域と互いに分離されるように意図される。また、前記第１の多数の送信機は、前記第１の区域のエッジ領域に位置し、前記第２の多数の送信機のうち一つ以上の送信機は、第２の区域のエッジ領域に位置するように意図される。
【００１７】
本発明の追加的な特徴及び長所は、以下の詳細な説明で開示されており、その部分は、発明の詳細な説明から明白になるか、本発明の実施例として得られる。また、本発明に対する上述した一般的な記述及び後述する発明の詳細な説明は、例示的かつ説明的なものとして理解されるべきで、特許請求の範囲に請求されたように、本発明の追加的な説明を提供するように意図される。
【００１８】
当業者であれば、本発明の添付された図面を参照して各実施例の詳細な説明から容易に各種の実施例を理解可能であり、本発明は、開示された特定の実施例によって制限されるものではない。
【００１９】
（産業上の利用可能性）
本発明の説明は、例示的な意図であり、特許請求の範囲を制限するものではない。多くの代案、変更及び変動が当業者にとって自明である。特許請求の範囲での手段及び機能の節は、構造的均等及び均等な構造のみならず、引用された機能を行う構造をカバーするように意図された。
【図面の簡単な説明】
【００２０】
【図１】一般的な区域基盤のＢＣＭＣＳ方式を示す。
【図２】ＢＣＭＣＳでの区域基盤の信号に対するセルクラスターを示す。
【図３ａ】周波数領域での区域基盤のＢＣＭＣＳの一実施例を示す。
【図３ｂ】時間領域での区域基盤のＢＣＭＣＳの一実施例を示す。
【図３ｃ】時間及び周波数領域での区域基盤のＢＣＭＣＳの一実施例を示す。
【図４ａ】１ｘＥＶ−ＤＯ改善ＢＣＭＣＳを示す。
【図４ｂ】一つのクラスター内での全ての基地局に対する共通的な第１の伝送を示す。
【図４ｃ】ＢＣＭＣＳ伝送のために境界基地局に対して多くの帯域幅資源を割り当てることを示す。
【図５】区域基盤のＢＣＭＣＳサブパケット再伝送の典型的な技法である。
【図６】大きい粒度を有する区域基盤のＢＣＭＣＳサブパケット再伝送を示す。
【図７】小さい粒度を有する区域基盤のＢＣＭＣＳサブパケット再伝送を示す。
【図８】３個の階層のＢＣＭＣＳ区域を示す。
【図９】３個のセクターセル−位置を示す。
【図１０】ＦＦＲが１／３であるＢＣＭＣＳとＦＦＲが１／３であるユニキャストを示す。
【図１１】汎用周波数再使用と共にするＢＣＭＣＳとＦＦＲと共にするユニキャストを示す。
【図１２】Ｆ−ＣＰＩＣＨパンクチュアリングを示す。
【発明を実施するための形態】
【００２１】
以下、本発明の好適な各実施例を記述し、これら実施例を添付された図面に示す。例えば、本発明は、ユニキャスト及びＢＣＭＣＳ伝送のための伝送電力が最大でかつ一定の１ｘＥＶ−ＤＯシステムに適用することができる。また、本発明は、ユニキャスト伝送のための伝送電力が変わり得るシステムに一般的に適用することができる。また、本発明は、各ＢＣＭＣＳの間の干渉に対して開示しているが、ユニキャストとＢＣＭＣＳとの間の干渉にも適用することができる。
【００２２】
本発明は、区域基盤のＢＣＭＣＳシグナリングを説明する。図１は、一般的な区域基盤のＢＣＭＣＳ方式を示す。一般化された自動再伝送要請（ＡＲＱ）技法は、図２に示すように、セルクラスターが互いに異なるコンテンツを伝送することのできる区域基盤のアプリケーションに使用される。
【００２３】
クラスターの中心に位置したＡＴｓは、マルチサイト空間ダイバーシティ及びソフト結合利得によって良好なチャネル品質を経験する。しかしながら、これらクラスターの間の境界地域に位置したＡＴｓは、互いに異なるコンテンツを有する隣接クラスターからの干渉の原因になる信号によって劣悪なチャネル品質を経験する傾向がある。
【００２４】
時間領域及び／または周波数領域でのエッジ区域（ｚｏｎｅ−ｅｄｇｅ）領域のセクターに対して余分のサブパケットまたはパリティ伝送を許容し、高速支援が可能になるように提案する。エッジ区域でのＬＢＣ（Ｌｏｏｓｅｌｙ  Ｂａｃｋｗａｒｄ  ｃｏｍｐａｔｉｂｌｅ）モードまたはＵＭＢ（Ｕｌｔｒａ  Ｍｏｂｉｌｅ  Ｂｒｏａｄｂａｎｄ）で定義された５ＭＨｚの５１２  ｐｔ  ＦＦＴのようなデフォルトユニキャスト数秘学を用いて余分のサブパケット伝送が追加的に可能になるように提案する。これは、隣接区域干渉によって大きいＣＰ長さ及びＳＦＮ利得の利点が減少するためである。ユニキャスト及びＢＣＭＣＳが混合された使用が可能であり、保護トーンオーバーヘッドが減少する。
【００２５】
エッジ区域のような一つの区域でのセクター位置によって、各サブパケット伝送時に可変または固定のチャネル資源量を用いるようにする。例えば、エッジ区域により近いセクターに対しては、より多くの資源が使用される。また、ＵＭＢのように、変調等級を段階的に下げることを許容するように提案する。
【００２６】
より一般的には、エッジ区域により近いセクターに対して余分のパリティビット量が徐々に大きくなり得る。例えば、増加した余分のパリティビットは、１．２５ＭＨｚまたは６２５ｋＨｚのようなサブ帯域段階でより多くの周波数資源を用いて伝送される。
【００２７】
中心区域地域でのセクターは、ＢＣＭＣＳに対して時間、周波数、及び／または電力のような資源量を最小限に利用し、このように構成することができる。他の区域と隣接したエッジ区域でのセクターは、ＢＣＭＣＳに対して最大の資源量を利用し、このように構成することができる。エッジ区域セクターは、隣接区域からの大きい干渉によって余分の資源が必要であるため、セクターが中心区域からエッジ区域に移動するとき、ＢＣＭＣＳに割り当てられた資源量は、１．２５ＭＨｚのサブ帯域段階で徐々に増加するようにすることができる。
【００２８】
図３ａは、周波数領域での区域基盤のＢＣＭＣＳの一実施例を示す。図３ｂは、時間領域での区域基盤のＢＣＭＣＳの一実施例を示す。図３ｃは、周波数及び時間領域全てでの区域基盤のＢＣＭＣＳの一実施例を示す。
【００２９】
図４ａは、１．６６ｍｓの伝送スロット長さ及び１．２５ＭＨｚの帯域幅全体がＢＣＭＣＳ伝送のために予約された１ｘＥＶ−ＤＯ改善ＢＣＭＣＳを示す。これは、境界領域での基地局がクラスターの中心または中央での基地局と比較して、多重に、そして、より多くのサブパケット伝送を行うようにする。
【００３０】
本発明は、各サブパケット伝送で与えられた帯域幅支援可能性１．２５ＭＨｚより大きい可変帯域幅支援を一般化する。図４ｂは、一つのクラスター内の全ての基地局に対する共通な第１の伝送を示す。境界領域での基地局は、より小さいか、同一であるか、またはより大きい帯域幅資源量を用いて一つのサブパケットを再伝送することができる。
【００３１】
１／３の部分周波数再使用（Ｆｒａｃｔｉｏｎａｌ  Ｆｒｅｑｕｅｎｃｙ  Ｒｅｕｓｅ:ＦＦＲ）の場合、隣接セクターが共通周波数帯域またはサブ−帯域で必ず伝送可能であるのではない。この場合、サブ−シーケンス再伝送はＦＦＲを維持する必要があり、割り当てられた資源はＦＦＲ条件を満足すべきである。すなわち、再伝送は、ＦＦＲが維持される限り、制限された帯域幅部分を利用することができる。
【００３２】
また、部分重畳を有することが可能である。この場合、重畳された部分で一部の単一−周波数ネットワーク（ＳＦＮ）ソフト−結合利得がある。
【００３３】
ＦＦＲで再伝送されたサブパケットは、同一または異なるようにエンコーディング可能であり、同一の情報を含む。また、ＦＦＲで伝送された各サブパケットは、同一または異なるようにエンコーディング可能であり、同一の情報を含む。
【００３４】
図４ｃは、境界基地局でのＢＣＭＣＳ伝送に対するより多くの帯域幅資源を割り当てる他の実施例を示した図である。可変帯域幅及び可変時間、またはサブパケット、資源割り当てに対して多くの結合が可能であり、適用可能である。
【００３５】
上述したように、追加的なサブパケット伝送は、時間、周波数及び／または電力のようなチャネル資源量を異なるように利用することができる。その結果、各サブパケットに送られたエンコーディングされたビット数も、各ＢＣＭＣＳサブパケットに割り当てられた時間−周波数資源量によって変わり得る。
【００３６】
図５に示すように、典型的な技法は、エンコーディングされたビットの全体集合からエンコーディングされたビットの下位集合を集め、線形方式でエンコーダーパケットを生成することである。更に他の技法は、図６に示すように、開始点の代わりに、終了点から余分の増分エンコーダービットを送ることである。
【００３７】
また、図７に示すように、追加的なエンコーダービットの粒度はより小さくなり得る。また、図６及び図７に示すように、余分のエンコーダービットは、時計方向方式でエンコーダー出力ビットに追加される。
【００３８】
本設計は、フレーム別に奇数個のＯＦＤＭシンボルを有する。このような設計は、偶数個のシンボルを必要とする時空間ブロックコードを支援しない。
【００３９】
また、略２２μｓ及び４０μｓの制限されたＣＰ長さの選択がある。より長いか短い他のＣＰ長さを要求する配置が存在しうる。例えば、１３μｓまたは１６チップ、６５μｓまたは８０チップ及び３２．６μｓまたは４０チップが１ｘＥＶ−ＤＯに対して改善されたＢＣＭＣＳに存在する。
【００４０】
フレーム別に偶数個のＯＦＤＭシンボルを有する数秘学を含むように提案する。これは、時間領域で２個の連続シンボルにかけてエンコーディングされたＳＴＢＣまたは空間多重化のような開ループＭＩＭＯ技法の支援を許容する。
【００４１】
特に、フレーム別に４個、６個または８個のＯＦＤＭシンボルを有する数秘学を提案する。一般的で詳細な特徴に関して記述された数秘学は、各ＡＴのチャネル遅延拡散及び各ＡＴの移動に関する必要の程度を変化させることを支援する。
【００４２】
フレーム別のシンボルの数（Ｎ＿ｓｐｆ）は、１からＮまで変わり得る。例えば、１から８までの範囲になり得る。この数が大きくなるほど、ＣＰによるオーバーヘッドがより大きくなる。この数が小さくなるほど、高速（ドップラー拡散）による性能低下の敏感度がより大きくなる。
【００４３】
Ｎ＿ｓｐｆは、ＳＴＢＣに適応するように設計される。例えば、２個のアンテナアラモチ（Ａｌａｍｏｕｔｉ）エンコーディングに対して、Ｎ＿ｓｐｆは２の倍数に設定される。ＣＰ、ウィンドウ及び有用なＯＦＤＭ部分を含むＯＦＤＭシンボル周期は、４４８０をシンボル数Ｎ＿ｓｐＦで分けた結果のようなフレーム別のチップの数（Ｎ＿ｃｐｆ）と同一である。例えば、フレーム別の４個のシンボルに対して、Ｎ＿ｃｐｆ／Ｎ＿ｓｐｆ＝４４８０／４＝１１２０は、ＯＦＤＭシンボル当たりのチップ（Ｎ＿ＦＦＴ）である。
【００４４】
ＯＦＤＭシンボルチップＮ＿ｃｐｆは、ＣＰ（Ｎ＿ＣＰ）、ウィンドウ長さ及び有用なＯＦＤＭ部分Ｎ＿ＦＦＴの間で分割される。有用なＯＦＤＭシンボルでのチップの数はＮ＿ＦＦＴで、計算複雑度を最小化するために２、３、５または他の小さい素数の整数倍に典型的に設定される。理想的に、Ｎ＿ＦＦＴは、ＦＦＴに対して２に設定される。
【００４５】
一実施例として、５ＭＨｚ帯域幅、４．９１５２（４ｘ１．２２８８）Ｍｃｐｓのサンプリング率またはチップ速度、６．５１μｓのＣＰ長さ及び上述したフレーム別の４４８０個のチップを仮定する。本発明は、容易に１．２５、１０、１５、２０ＭＨｚのような他の帯域幅に適用することができ、他のサンプリング率及び他のＣＰ長さにも適用することができる。提案されたＮ＿ＦＦＴ数の一部は、５ＭＨｚ帯域幅に対して表２に示されている。
【００４６】
２の代わりに３または５の特定の基数を用いる各種の選択が存在する。しかしながら、ユニキャストに対するＮ＿ＦＦＴは、ＢＣＭＣＳ  ＯＦＤＭシンボル設計で潜在的再使用に対して５１２であるので、２の累乗を有することがさらに好ましい。表１は、提案されたＮ＿ＦＦＴ数を表す。
【００４７】
【表１】
2010504657.tif 000003
ＢＣＭＣＳに対してユニキャスト数秘学を再使用するように提案する。本提案は、内部のように小さい遅延拡散を有する環境で使用可能で、本設計は、既に使用可能であるので、新しく追加的な複雑度が要求されることはない。
【００４８】
ブロードキャスト、マルチキャスト及び／またはユニキャストの資源を柔軟かつ効率的にスケジューリングするようにし、一つのシンボル内の互いに異なる数秘学を用いる副搬送波の間の保護トーンからオーバーヘッドを除去する。保護トーンは、互いに異なる副搬送波スペーシングとシンボル開始及び／または終了境界を分離する必要がある。また、サブパケット再伝送で部分帯域幅を使用する区域基盤の運営が容易である。また、順方向リンク共通パイロットチャネル（Ｆ−ＣＰＩＣＨ）副搬送波をＢＣＭＣＳチャネル資源にパンクチュアリングし、逆方向リンクチャネル品質指示子チャネル（Ｒ−ＣＱＩＣＨ）報告の支援が許容される。
【００４９】
ＣＰに対するチップ数（Ｎ＿ＣＰ）は、典型的に、リピーターと一緒に、またはリピーターのないＢＣＭＣＳの遅延拡散より大きい値に設定される。例えば、ＣＰ長さは、６５μｓに設定可能であり、与えられた４．１９５２Ｍｃｐｓのチップ速度で略３２０チップに達するようになる。内部アプリケーションに対して、遅延拡散はより小さくなり得る。
【００５０】
ウィンドウに対するチップの数Ｎ＿Ｗは、０以上に変わり得るし、Ｎ＿Ｗが大きくなるほど、周波数領域でロール−オフ係数（ｒｏｌｌ−ｏｆｆ  ｆａｃｔｏｒ）がより速くなる。
【００５１】
ＯＦＤＭシンボル設計は、表２に例示されたように、６．５１μｓから２６．０４μｓまでの範囲の各有効ＣＰ長さに対して再び行われる。ＣＰ長さは６．５１μｓと異なり得るし、ＯＦＤＭシンボル設計は、任意のＣＰ長さに対して再び行われる。例えば、フレーム別のチップの数は、４．１９５２Ｍｃｐsで２６．０４２μｓのＣＰ長さまたは１２８チップに対してＮ＿ｃｐｆ＝５２４８になる。表２は、ＬＢＣでのＢＣＭＣＳに対するＯＦＤＭシンボル設計の各実施例を表す。
【００５２】
表２に示すように、クラスター境界での基地局は、６．５１μｓのように小さいＣＰ長さを有するユニキャストタイプＯＦＤＭシンボル設計を使用することができる。これは、それぞれ互いに異なるＯＦＤＭシンボル設計を有するＢＣＭＣＳ及びユニキャスト伝送を分離するのに必要な保護トーンの数を減少することができる。また、大きいＣＰ値が減少し、互いに異なるコンテンツを有する隣接クラスターの干渉によって単一周波数ネットワーク（ＳＦＮ）ソフト−結合利得がエッジ−クラスター領域で減少する。しかしながら、減少したＣＰ長さから節約された電力は、データ伝送のための副搬送波（またはトーン）に割り当てられる。
【００５３】
本発明は、区域基盤のシグナリングの独立的なサブパケット伝送を説明する。
【００５４】
【表２】
2010504657.tif 000004
帯域外の干渉を減少するためのＯＦＤＭシンボルに適用される１６チップのウィンドウ
本発明は、同期化された基地局及び資源利用を説明する。同一のＢＣＭＣＳコンテンツを伝送する全ての基地局は、時間及び帯域幅が同期化される。
【００５５】
各セクターが非重畳（ｎｏｎ−ｏｖｅｒｌａｐｐｉｎｇ）帯域幅にかけて伝送可能なＦＦＲの場合、基地局は、次のＦＦＲパターン伝送を続けることができる。全体の帯域幅は、ＳＦＮソフト−結合利得を最大化し、カバレッジまたは二つの極端の間のある場所を増加するように伝送される
ＢＣＭＣＳに対する同一のＦＦＲパターンが使用される場合、ＢＣＭＣＳパイロットは、典型的にスケジューリング及び電力制御の目的で基地局にフィードバックされるチャネル品質指示（ＣＱＩ）を推定するのに使用される。帯域幅利用が異なる場合、干渉レベルが異なり、ＢＣＭＣＳ伝送時に推定されたＣＱＩは中断される。この場合、ＢＣＭＣＳ伝送時にＣＱＩが不能になるＢＣＭＣＳ発生場所でタイミング及び帯域幅またはトーンに対して通報を受けるべきである。
【００５６】
また、ユニキャストトラフィックスケジューリング及び電力制御のように非ＢＣＭＣＳ目的に対して適切にＣＱＩを推定するように、可能な限り多くＢＣＭＣＳフレームを分離することが好ましい。また、共有制御チャネル（Ｓｈａｒｅｄ  Ｃｏｎｔｒｏｌ  Ｃｈａｎｎｅｌ：ＳＣＣＨ）のような制御チャネルは、ＣＱＩに基づいているので、ＦＦＲに送られる。
【００５７】
本発明は、共有ＢＣＭＣＳ及びユニキャストシグナリングを説明する。特定のフレームは、順方向データチャネル（Ｆ−ＤＣＨ）及びＢＣＭＣＳトラフィックのような制御情報、ユニキャストトラフィックの一部結合を載せることができる。帯域幅資源の分割は、制御信号（ＳＣＣＨ）によるフレーム別基盤に、またはプリアンブルによるスーパー−フレーム別基盤にシグナリングされる。
【００５８】
本発明は、ＦＦＲでの区域基盤運営を説明する。境界領域またはエッジ区域のセクターを除いた全てのセクターは、全体の時間−周波数資源または資源の一部の小さい部分を用いて伝送可能であるが、ＦＦＲの場合に割り当てられた部分より大きい部分を用いて伝送することができる。
【００５９】
例えば、セル−位置別に３個のセクターを有する１／３のＦＦＲの場合、一つのセルの各セクターは、ユニキャスト伝送のために帯域幅資源の１／３を使用することができる。ＢＣＭＣＳのみを伝送する場合、１／１のＦＦＲまたは１／３と１との間での多数のＦＦＲ値のような資源の全体集合が使用される。このような同一の思想は、所定のＡＲＱ時間及びインターレースに適用することができる。
【００６０】
図８は、３個の階層のＢＣＭＣＳ区域を示す。図８で隣接区域であるＢ区域がＡ区域のように同一の時間−周波数資源でＢＣＭＣＳを使用しない場合、図８でのＡ区域のようなエッジ区域セルにＦＦＲ拡張概念が適用されないことが重要である。
【００６１】
例えば、図８でのＢ区域は、ＢＣＭＣＳを持たないこともあり、ユニキャストデータ伝送のみを支援することができる。この場合、図８でのＡ区域のエッジ区域セルは、同一または異なるＡＲＱインターレースでサブパケット伝送を用いて追加的な時間−周波数資源に伝送することができる。
【００６２】
境界領域でより多くのＳＦＮ利得を得るために、余分のサブ帯域を用いることを提案する。また、コード結合ソフト−ハンドオフを提案する。
【００６３】
図８でのＡ区域のように、一つの区域の中心に位置したセルに対してエッジセルに近い範囲で全体の５ＭＨｚにかけてＢＣＭＣＳ及びＳＦＮを有することができる。中心セルは、ＳＦＮ利得のみならず、３倍の帯域幅を得ることができる。
【００６４】
ＢＣＭＣＳのないＢ区域でのユニキャスト場合のようにＦＦＲを使用すると仮定し、全体のＢＷ使用は、隣接Ｂ区域に対してＦＦＲを維持することを中止すべきである。ＦＦＲ領域または境界領域のセルエッジでの基地局は、スループットを増加させるための再伝送のように異なる次元を用いるべきである。
【００６５】
本発明は、ＢＣＭＣＳと一緒にＦＦＲを説明する。ＢＣＭＣＳ副搬送波の１／１または１／３のＦＦＲのような汎用周波数再使用がＢＣＭＣＳフレーム伝送時に許容される。
【００６６】
Ｆ−ＳＣＣＨ副搬送波はＦＦＲに残っている。ＣＱＩ推定が必要なＡＴｓは、ＣＱＩ推定時にＢＣＭＣＳインターレースをスキップすることができる。ＢＣＭＣＳインターレース選択はブロードキャストで、区域基盤の運営で隣接区域情報を含むことができる。ＢＣＭＣＳインターレースの数が所定の数（例えば、インターレースの最大数より小さい３）を超える場合、ＢＣＭＣＳの全体の周波数再使用が不可能である。
【００６７】
ＢＣＭＣＳに対して１／３乃至１／１のＦＦＲのような追加的な帯域幅を用いるときの問題点の一つは、ＦＬチャネルの電力制御及び適応変調コーディング、スケジューリングのようなユニキャスト伝送を支援するための共通パイロットまたは専用パイロットから要求されるＣＱＩ推定正確度が悪化されることにある。その理由は、ＦＦＲ係数が１／３以上のＢＣＭＣＳ伝送時、１／３のＦＦＲのように、隣接セクターからの干渉のないユニキャストパイロット伝送と異なり、この場合には隣接セクターが干渉を起こすためである。
【００６８】
このような干渉は、共通パイロットを用いて副搬送波またはトーンを予約して避けることができ、如何なるＢＣＭＣＳ信号も予約された副搬送波で伝送されない。ＢＣＭＣＳ  ＯＦＤＭシンボル設計がユニキャストの場合と同一である場合、これはよく作動する。
【００６９】
しかしながら、互いに異なる副搬送波スペーシングが異なるように、ＢＣＭＣＳ及びＯＦＤＭシンボル設計が互いに異なる場合には保護トーンが要求される。すなわち、ユニキャストパイロットは、ＢＣＭＣＳ時間−周波数資源でパンクチュアリングされる。
【００７０】
好ましい技法は、ＢＣＭＣＳに対するインターレースの数を制限し、可能な限り遠く離れるように配置することである。例えば、６個のインターレースを仮定すると、ＢＣＭＣＳインターレースの数は２個に制限され、シーケンスが‘Ｂ’‘Ｕ’‘Ｕ’‘Ｂ’‘Ｕ’‘Ｕ’にスペーシングされた場合、‘Ｂ’は、ＢＣＭＣＳと共にするインターレースを表し、‘Ｕ’は、ユニキャストと共にするインターレースを表す。
【００７１】
ユニキャスト、マルチキャストまたはブロードキャストのような上位階層メッセージは、ＢＣＭＣＳによって使用される時間、周波数及び／またはインターレースのような資源を表示するＡＴに伝送されるべきである。ＢＣＭＣＳを使用し、ＢＣＭＣＳを収容可能なユニキャストＡＴｓ及びＢＣＭＣＳを収容不可能なユニキャストＡＴｓのようにＢＣＭＣＳを使用しないＡＴｓは、ＢＣＭＣＳのために使用される時間−周波数資源のようなインターレースを知るべきである。
【００７２】
他の方式は、全体の区域または区域集合にかけてＦＦＲ係数１を有する特別なサブ帯域を使用することである。残っているサブ帯域は、ＦＦＲを支援するように使用される。
【００７３】
一つの区域が全体の周波数再使用を用いるか、または全体の周波数再使用に近く用いる場合、そして、他の区域がＢＣＭＣＳを持たず、ＦＦＲがネットワークで用いられる場合には問題が発生する。この場合、エッジ区域基地局がＢＣＭＣＳのために全体の周波数再使用を用いると、ＦＦＲが配置される隣接区域でエッジ区域基地局はＡＴｓに干渉を起こす。
【００７４】
一つの解決策は、例えば、隣接区域基地局のように１／３の同一のＦＦＲのエッジ区域基地局のＦＦＲを用いることである。他の解決策は、図８に示すような中心区域とエッジ区域との間に３個の階層からなる中心またはバッファー区域のような内部区域で基地局を具備し、全体の周波数を利用し、全体の周波数再使用が１／１または１／１に近くなるように利用することである。
【００７５】
他の解決策は、エッジ区域基地局に対するもので、１.２５ＭＨｚの互いに異なるサブ帯域に伝送する各セクターに対して、同一のペイロードに基づいて各セクターに互いに異なるエンコーディングされたサブパケットまたは各セクターに同一のサブパケットを伝送することである。
【００７６】
しかしながら、これら基地局は、ＦＦＲを使用するエッジ区域での基地局と異なり、全体の周波数再使用に近いか、または１／１（ｆｕｌｌ）で使用することができる。ＦＦＲが動的である場合、時間／周波数資源割り当ては時間によって変わり、サブ帯域間のＢＣＭＣＳ資源割り当てはＦＦＲに従うことができる。
【００７７】
全体の帯域内で共通パイロットをパンクチュアリングし、共通パイロットのＦＦＲを行うようにし、ｎｏｎ−ＦＦＲ、ＢＣＭＣＳを行うように提案する。
【００７８】
この技法は、ユニキャストＯＦＤＭシンボルがＢＣＭＣＳに対して再使用される場合に適用可能である。ＢＣＭＣＳがユニキャストＯＦＤＭシンボル数秘学を再使用する場合、ＳＦＮは、ＳＣＣＨ及び共通パイロットをパンクチュアリングし、ユニキャストＦＦＲで全てのセクターに対して行われる。
【００７９】
速度制限は、ドップラーに起因して副搬送波スペーシング機能になり得る。例えば、３．８kHz及び２GHzに対して２０ｋｍ／ｈの１％ドップラー偏移、４１ｋｍ／ｈの２％ドップラー偏移、１０２.６ｋｍ／ｈの５％ドップラー偏移、２０ｋｍ／ｈの１％ドップラー偏移がある。また、９.６kHzに対して、１０４ｋｍ／ｈの２％ドップラー偏移がある。
【００８０】
ＢＣＭＣＳがＦＦＲを使用するが、互いに異なる副搬送波スペーシングを有しているにもかかわらず、ユニキャストトラフィックに対するＣＱＩは依然として適切に推定されない。これは、パイロットがＳＦＮで、ソフト−結合されているためである。窮極的に、ＡＴは、ユニキャストＣＱＩ推定のために、ＦＦＲで、またはＦＦＲなしにＢＣＭＣＳインターレースを避けるべきである。
【００８１】
一つの解決策は、汎用再使用または係数１で再使用可能な４個のサブ−帯域を使用することである。小さい数（ｓｐａｒｓｅ  ｎｕｍｂｅｒ）のインターレースがＢＣＭＣＳに対して使用されるべきであるので、ほとんどのインターレースは、ＢＣＭＣＳのために使用されない。ＢＣＭＣＳを使用せず、ＢＣＭＣＳを収容可能なユニキャストＡＴまたはＢＣＭＣＳを収容不可能なユニキャストＡＴのように、ＢＣＭＣＳを使用しないＡＴは、ＢＣＭＣＳのために使用される時間−周波数資源のようなインターレースを知るべきである。
【００８２】
本発明は、ユニキャストと一緒にＢＣＭＣＳ運営を説明する。ＢＣＭＣＳが既存のＬＢＣ  ＯＦＤＭシンボル数秘学を再使用する場合、２個のトラフィックタイプの間の資源分割は、ＢＣＭＣＳとユニキャスト伝送をより効率的に混合するようにする。これは、エッジ区域で全体のＢＣＭＣＳ帯域幅が必要でない場合、特に、区域基盤ＢＣＭＣＳ運営と結合して有用である。区域基盤の実施例で、中心区域位置でインターレース及び／またはタイルのように使用されないＢＣＭＣＳチャネル資源にユニキャストトラフィック伝送が許容される。
【００８３】
ＢＣＭＣＳ伝送率は変わり得るし、可変の時間−周波数資源量が要求される。制御シグナリングは、ＢＣＭＣＳ及びユニキャスト資源の分割を指示するのに用いられる。シグナリングは、フレーム別基盤に速く行われるか、またはスーパー−フレーム基盤に遅く行われる。制御情報は、共有制御チャネル（ＳＣＣＨ）またはプリアンブルを通して伝送される。
【００８４】
また、ＢＣＭＣＳ  ＭＡＣＩＤは、ＳＣＣＨを通して自身のメッセージ及び自身のＰＦとチャネルフォーマットを有するものと定義される。ＢＣＭＣＳ及びユニキャストが同一のＯＦＤＭ数秘学を使用する場合であれば、より容易である。
【００８５】
本発明は、ユニキャスト及びＦＦＲと共にＢＣＭＣＳ運営を説明する。図９は、３個のセクターセル−位置を示す。この構成で、ＢＣＭＣＳ信号は、１／１または１／３のＦＦＲのような全体または汎用周波数再使用で伝送可能であり、ユニキャスト信号及びＦ−ＳＣＣＨは、１／３のＦＦＲを用いて伝送可能である。ＢＣＭＣＳ信号は、二つの方式のうち一つで伝送されるので、二つの選択が提案される。
【００８６】
図１０は、第１の選択の実施例、特に、１／３ＦＦＲのＢＣＭＣＳ及び１／３ＦＦＲユニキャストを有するＢＣＭＣＳを示す。第１の選択は、例えば、隣接区域がＢＣＭＣＳなしに、ＦＦＲと共にするユニキャストトラフィックのみを有する場合、エッジ区域セクターで有用である。第１の選択は、汎用周波数再使用の場合と比較して隣接区域の干渉を減少させる。
【００８７】
αセクターは、サブ帯域‘ｆ１’のみで伝送する。βセクターは、サブ帯域‘ｆ２’のみで伝送する。γセクターは、サブ帯域‘ｆ３’のみで伝送する。
【００８８】
ＢＣＭＣＳカバレッジは、第１の選択を用いて弱化されるが、これは、例えば、βセクターには‘ｆ１’及び‘ｆ３’にＢＣＭＣＳ信号がないためである。これと異なり、隣接区域がＢＣＭＣＳを使用せず、ＦＦＲを使用する場合のように一つのセクターがエッジ区域領域に位置した場合には、第１の選択が必要である。
【００８９】
図１１は、第２の選択の実施例として、特に、汎用周波数再使用及びユニキャストｗ／ＦＦＲ１／３と共にＢＣＭＣＳを示す。第２の選択は、より大きいソフト結合利得及びカバレッジを提供する。
【００９０】
αセクターは、各サブ帯域の一部にＢＣＭＣＳ信号を伝送する。βセクター及びγセクターも各サブ帯域の一部にＢＣＭＣＳ信号を伝送する。各サブ帯域でのＢＣＭＣＳ部分は、各行に沿って固定されるが、必ず必要なものではない。例えば、‘ｆ１’でのＢＣＭＣＳ部分は、α、β及びγセクターに沿って固定される。
【００９１】
選択された種類と関係なしに、セクターは、図１０及び図１１に示した未使用領域のような各セクターに予約されるべき副搬送波周波数を知るべきである。すなわち、各セクターは、副搬送波がＢＣＭＣＳに対して汎用周波数再使用１／１として使用可能であるという通報を受ける。
【００９２】
本発明は、ＢＣＭＣＳ共通パイロット設計を説明する。ＢＣＭＣＳ共通パイロットＦ−ＢＰＩＣＨパイロットトーン位置は、ＢＣＭＣＳのために予約されたチャネル資源でデータ及びパイロットトーンのソフト−結合を可能にした区域で各セクターに対して同一に設定される。周波数領域でのパイロット位置が一つのセクターから他のセクターにオフセットされる場合の従来設計とは異なる。
【００９３】
周波数領域でのパイロット位置は、区域の間にオフセットされる。チャネル推定性能を改善するために、パイロットブースティングを許容する。
【００９４】
本発明は、ＢＣＭＣＳ補助パイロット設計を説明する。ＢＣＭＣＳに対して予約されたチャネル資源でＭＩＭＯ支援トーンのためにデータ、Ｆ−ＢＰＩＣＨ及びＦ−ＡｕｘＢＰＩＣＨのソフト結合を可能にするために、順方向リンク補助ＢＣＭＣＳパイロットチャネル（Ｆ−ＡｕｘＢＰＩＣＨ）トーン位置は、一つの区域での各セクターに対して同一に設定される。
【００９５】
周波数領域でのＦ−ＡｕｘＢＰＩＣＨパイロット位置は、各区域の間にオフセットされる。これは、境界区域領域でチャネル推定性能を改善するようにパイロットブースティングを許容する。
【００９６】
一般的に、ＢＣＭＣＳパイロットの密度または特定の帯域幅でのパイロット数は、ＣＰ長さまたは多重遅延拡散の大きさと一緒に増加する。したがって、ＢＣＭＣＳパイロット密度は、ＢＣＭＣＳ  ＯＦＤＭシンボル選択によって変わり得る。また、各サブパケットは、区域基盤の運営で互いに異なるＯＦＤＭシンボルを有することができ、互いに異なるパイロット密度及びパイロットパターン設計を有することができる。
【００９７】
本発明は、共通パイロット及び補助共通パイロット設計を説明する。ＡＴｓは、共通パイロットを用いて全体帯域及びサブ帯域チャネル品質情報（ＣＱＩ）を測定する。ＡＴｓは、補助共通パイロットを用いてＭＩＭＯを支援するためのＭＩＭＯ関連チャネル品質情報を測定する。
【００９８】
ＡＴは、全体帯域、サブ帯域及びＭＩＭＯ  ＣＱＩＣＨ報告のためにＣＱＩを推定する場合、ＢＣＭＣＳに対して予約された時間−周波数資源を避ける必要がある。この問題は、ＢＣＭＣＳ及びユニキャストトラフィックが同一のＯＦＤＭシンボル数秘学を共有するようになるときに完全に解決される。
【００９９】
これは、ＢＣＭＣＳ資源内にＦ−ＣＰＩＣＨパイロットを挿入することで達成される。ＡＴｓは、全体のＦ−ＣＰＩＣＨを用いてＣＱＩを推定することができる。これと異なり、ＢＣＭＣＳ信号を受信するＡＴｓは、Ｆ−ＣＰＩＣＨに対して予約されたシンボルをデコーディングすることを避けるために、すなわち、ｎｏｎ−ＢＣＭＣＳ（非−ＢＣＭＣＳ）目的で予約された各信号のデコーディングを避けるために、Ｆ−ＣＰＩＣＨパイロットに対して予約された資源を知る必要がある。図１２は、Ｆ−ＣＰＩＣＨパンクチュアリングを示す。
【０１００】
類似した方式で、順方向リンク補助パイロットチャネルＦ−ＡｕｘＢＰＩＣＨは、ＢＣＭＣＳに対して予約された時間−周波数資源にパンクチュアリングされる。これは、ＡＴｓがＭＩＭＯ支援に必要なＣＱＩパラメーターを測定するように許容する。例えば、２個のアンテナがある場合には、一つ以上のチャネル推定が必要である。これは、単一アンテナの場合には異なる。また、ＢＣＭＣＳサービスと一緒に、ＡＴｓは、Ｆ−ＡｕｘＢＰＩＣＨに対して指定された資源を避ける必要がある。
【０１０１】
本発明は、本発明の思想または必須的な特徴から逸脱することなく、多様な形態に具体化される。また、上述した各実施例は、既に記述した詳細な説明によって制限されるものではなく、説明されていないものは、請求された請求項で本発明の思想及び範囲内で広範囲に構成されるべきである。したがって、全ての変形及び変化が請求項の境界及び領域内に存在するようになるか、このような請求項と均等な領域及び境界が請求された請求範囲によって含まれるように意図された。
【０１０２】
前記各実施例及び長所は、例示的なものに過ぎなく、本発明を制限するものとして構成されない。本発明の内容は、他の形態の装置によって容易に適用可能である。
【図１】
2010504657.tif 000006
【図２】
2010504657.tif 000007
【図３ａ】
2010504657.tif 000008
【図３ｂ】
2010504657.tif 000009
【図３ｃ】
2010504657.tif 000010
【図４ａ】
2010504657.tif 000011
【図４ｂ】
2010504657.tif 000012
【図４ｃ】
2010504657.tif 000013
【図５】
2010504657.tif 000014
【図６】
2010504657.tif 000015
【図７】
2010504657.tif 000016
【図８】
2010504657.tif 000017
【図９】
2010504657.tif 000018
【図１０】
2010504657.tif 000019
【図１１】
2010504657.tif 000020
【図１２】
2010504657.tif 000021